(57)【特許請求の範囲】
【請求項１】
検査対象物に備えられた検査対象物側接続端子と、検査用接続端子とを電気的に接続させるために用いられる接続装置であって、
前記接続装置の基台には垂直シャフトが立設され、
前記基台の上面には検査対象物を所定の位置に保持する保持手段が備えられ、
前記垂直シャフトには前記垂直シャフトに沿って昇降可能な移動部材が配設され、
前記移動部材には前記垂直シャフトに対して傾斜させて貫通させた傾斜ガイド孔が設けられ、
前記傾斜ガイド孔には傾斜シャフトがスライド可能に挿通され、
前記傾斜シャフトの下端には端子保持部が固定されており、
さらに、前記移動部材を前記垂直シャフトに沿って昇降させる昇降機構を備え、
前記昇降装置を作動させることによって、前記端子保持部を一旦垂直に下降させた後に水平方向に移動させて、端子保持部の側面に露出させて配設された検査用接続端子と、前記保持手段に保持された検査対象物の検査対象物側接続端子とを電気的に接続させるように構成されたことを特徴とする検査用接続端子の接続装置。
【請求項２】
前記移動部材と端子保持部との間隔を広げる方向に付勢する付勢手段を備えたことを特徴とする請求項１に記載の検査用接続端子の接続装置。
【発明の詳細な説明】
【技術分野】
【０００１】
本発明は、無線機等の電子機器の検査に利用される検査装置と接続して使用するための検査用接続端子の接続装置に関するものである。
【背景技術】
【０００２】
まず、本発明に係る検査用接続端子の接続装置を用いた検査の対象物であるシャーシの概要を説明する。図４に示したように、前記シャーシａは、電子機器ｂに内蔵されるものであり、例えば、前記電子機器ｂの内部回路へ電力を供給するための電源端子等の機器側接続端子ｃが配設されている。
前記電子機器ｂを、例えば工場で製造して出荷する時や、修理した後や検査した後等において、前記電源端子から所定の電力を供給したり、前記電源端子の電気抵抗特性を検査したりするために、接続装置を用いて、前記電源端子と、検査用接続端子とを接続することが行われている。
【０００３】
この種の接続装置は、シャーシａに形成された電源端子等の機器側接続端子ｃに、検査用接続端子を接触させるものであり、例えば、図５に示した接続装置１００のように、シャーシａに配設された機器側接続端子ｃの上方に端子保持板１１０を昇降可能に配設し、前記端子保持板１１０の側面に配設された検査用接続端子１２０が、前記機器側接続端子ｃの真上に位置するように配設されている。
前記端子保持板１１０をレバー操作等によって真下に移動させることで、機器側接続端子ｃと検査用接続端子１２０を電気的に接触させるように構成されている。
【０００４】
そのような構造では、図５において縦の細線で示したように、機器側接続端子ｃの真上に検査用接続端子１２０が位置しており、水平方向の位置的な余裕が無いため、作業者が勢いをつけてレバーを降ろした場合、検査用接続端子１２０が加速されて降下するので、機器側接続端子ｃを破損することがあった。
なお、ひっかかりを無くすために前記端子保持板１１０の下面に傾斜を設けることが行われるが、それでも、機器側接続端子ｃを破損することがあった。
【０００５】
以上のような不具合を解決するためには、検査用接続端子１２０の位置を機器側接続端子ｃの真上から少しずらして配設し、水平方向の位置的な余裕を確保しておき、レバー操作等によって、前記端子保持板１１０を一旦真下に降下させた後、引き続いて前記端子保持板１１０を水平方向に移動させて、機器側接続端子ｃと検査用接続端子１２０を電気的に接触させるように構成することが考えられるが、このような、上下方向に移動する機構と、水平方向に移動する機構の両方の機構を備えることは、構造が複雑になるという問題があった。
なお、前記接続端子に採用可能な構造としては、特許文献１に開示された構造などが知られているが、特許文献１に開示された構造は、多くの電極を有し、全体の反りが大きな被測定物であっても確実に測定することを目的とするものであって、機器側接続端子を破損させることなく、検査用接続端子を機器側接続端子に確実に接触させる構造を開示するものではない。
【先行技術文献】
【特許文献】
【０００６】
【特許文献１】特開平８−１０１２２９号公報
【発明の概要】
【発明が解決しようとする課題】
【０００７】
そこで、本発明は、機器側接続端子を破損させることなく、検査用接続端子を機器側接続端子に確実に接触させる動作を、簡単な構造で実現できる接続装置を提供することを目的としてなされたものである。
【課題を解決するための手段】
【０００８】
本発明の請求項１に係る検査用接続端子の接続装置では、
検査対象物に備えられた検査対象物側接続端子と、検査用接続端子とを電気的に接続させるために用いられる接続装置であって、
前記接続装置の基台には垂直シャフトが立設され、
前記基台の上面には検査対象物を所定の位置に保持する保持手段が備えられ、
前記垂直シャフトには前記垂直シャフトに沿って昇降可能な移動部材が配設され、
前記移動部材には前記垂直シャフトに対して傾斜させて貫通させた傾斜ガイド孔が設けられ、
前記傾斜ガイド孔には傾斜シャフトがスライド可能に挿通され、
前記傾斜シャフトの下端には端子保持部が固定されており、
さらに、前記移動部材を前記垂直シャフトに沿って昇降させる昇降機構を備え、
前記昇降装置を作動させることによって、前記端子保持部を一旦垂直に下降させた後に水平方向に移動させて、端子保持部の側面に露出させて配設された検査用接続端子と、前記保持手段に保持された検査対象物の検査対象物側接続端子とを電気的に接続させるように構成されたことを特徴としている。
請求項２では、
前記移動部材と端子保持部との間隔を広げる方向に付勢する付勢手段を備えたことを特徴としている。
【発明の効果】
【０００９】
本発明の請求項１に係る検査用接続端子の接続装置によれば、
移動部材には垂直シャフトに対して傾斜させて貫通させた傾斜ガイド孔が設けられ、傾斜ガイド孔には傾斜シャフトがスライド可能に挿通されているので、移動部材を下降させると、前記傾斜シャフトの下端に固定された端子保持部は、一旦垂直に下降し、前記端子保持部が前記シャーシに当接した後は、水平方向に移動するので、検査用接続端子と検査対象物の検査対象物側接続端子とを、ストレスなく正面から接触させることによって、電気的な接続状態にすることができ、安定した検査が可能となる。
また、請求項２では、
前記移動部材と端子保持部との間隔を広げる方向に付勢する付勢手段を備えることにより、下降した前記端子保持部は、付勢力によって前記シャーシを押圧するので、前記シャーシのぐらつきが防止され、安定した検査が可能と。
また、検査用接続端子と検査対象物の検査対象物側接続端子との接触も、前記付勢手段に起因する付勢力により付勢されるので、安定した検査が可能となる。
【図面の簡単な説明】
【００１０】
【図１】本発明にかかる検査用接続端子の接続装置の正面図である。
【図２】前記検査用接続端子の接続装置の各部の動作を説明する説明図である。
【図３】別の形状のシャーシの断面図である。
【図４】一般的な形状のシャーシの斜視図である。
【図５】従来の検査用接続端子の接続装置の一例の要部を説明する説明図である。
【発明を実施するための形態】
【００１１】
まず、本発明に係る検査用接続端子の接続装置を用いた検査の対象物であるシャーシは、図４を参照して説明したものと同様の構造であるので、その説明は省略する。
本発明の検査用接続端子の接続装置は、前記シャーシのような構造の検査対象物を検査するために、検査装置と組み合わせて使用する。
【実施例１】
【００１２】
以下に、本発明にかかる検査用接続端子の接続装置を、実施例１の正面図を示した図１を参照して以下に説明する。
図示したように、検査用接続端子の接続装置１の基台１１の上面には、検査対象のシャーシａを検査のために設置するシャーシ設置部１２が形成されている。このシャーシ設置部１２には、検査対象のシャーシを所定の位置に保持するためのシャーシ保持部材１３が配設されている。
【００１３】
前記基台１１の上面には、２本以上の垂直シャフト１４が立設されている。
前記垂直シャフト１４には、移動プレート２が、垂直方向に昇降可能な状態で備えられている。前記移動プレート２には、前記垂直シャフト１４に対応させた位置にシャフト孔２１が貫通されており、前記シャフト孔２１に前記垂直シャフト１４が挿通されているので、前記移動プレート２は、前記垂直シャフト１４にガイドされて、前記垂直シャフト１４に沿って垂直方向に移動することができる。
前記移動プレート２には水平プレート２２が固定され、前記水平プレート２２には、図上、右下がりの傾斜プレート２３が固定されている。
【００１４】
前記基台１１には、さらに、前記移動プレート２を昇降させるための昇降機構３が配設されている。この昇降機構３は、操作レバー３１を備え、この操作レバー３１を操作することによって、図示しないリンク機構などを介して、前記移動プレート２を昇降させるように構成されている。
【００１５】
前記移動プレート２に、前記水平プレート２２を介して固定されている傾斜プレート２３には、例えば２つの傾斜ガイド孔２４が貫通されている。前記傾斜ガイド孔２４は、前記傾斜プレート２３に設けられており、前記垂直シャフト１４に対しては、図上、時計周り方向（右斜め）に傾斜した状態になっている。
前記傾斜ガイド孔２４には、前記垂直シャフト１４に対して、図上、時計周り方向（右斜め）に傾斜した傾斜シャフト４が挿通されている。
前記傾斜シャフト４の下端には、端子保持部５が固定されている。
なお、前記移動プレート２、前記水平プレート２２、および前記傾斜プレート２３が、特許請求の範囲に記載された移動部材に対応する構成である。
【００１６】
前記端子保持部５の右側側面には、検査用接続端子５１が露出させて配設されている。
また、前記傾斜シャフト４には、移動プレート２と端子保持部５との間隔を広げる方向に付勢する付勢手段として、圧縮バネ６が巻き付けられている。
【００１７】
前記検査用接続端子５１は、図示しない電源装置や検査装置と接続ケーブルで接続されており、前記検査用接続端子５１を、検査対象物側接続端子としての前記シャーシａの機器側接続端子ｃと、電気的に接続した状態で、前記機器側接続端子ｃから所定の電力を供給したり、前記検査装置と、前記シャーシａの回路とを電気的に接続して、前記シャーシａの回路の電気的な特性を検査したりすることができる。
【００１８】
次に、以上の構成の検査用接続端子の接続装置を用いた検査における各部の動作等を図２を参照して説明する。
まず、前記検査用接続端子の接続装置１を、図示しない電源装置と接続し、前記シャーシ設置部12のシャーシ保持部材13を用いて検査対象のシャーシａを所定の位置に保持する。このとき、前記端子保持部５は、検査用接続端子５１と機器側接続端子ｃとが、水平方向に距離が保持される位置に配置される。
次に、前記昇降装置３の前記操作レバー31を引き下ろし操作して、図２の（Ａ）において下向きの太い矢印で示したように、前記移動プレート２を下降させて、前記水平プレート22と、前記傾斜プレート23と、前記傾斜シャフト４と、前記端子保持部５とを共に下降させる。
なお、図２において、縦の細線Ｘは、前記端子保持部５の下面が前記シャーシａの上面に当接するまでの間、前記端子保持部５の左端が昇降移動する垂直線を示し、縦の細線Ｙは、前記傾斜プレート23の左端が昇降移動する垂直線を示している。
【００１９】
前記傾斜プレート23が、図２の（Ｂ）に二点鎖線で示した23ａの位置から、破線で示した23ｂの位置まで下降すると、前記端子保持部５の下面が、前記シャーシａの上面に当接して、それ以上は下降できない状態となる。
以上において、端子保持部５が下降するとき、前記検査用接続端子51と、前記機器側接続端子ｃとの水平方向の距離ｊとしては充分な距離が確保されているので、前記検査用接続端子51が、前記機器側接続端子ｃの表面を擦りながら下降することがなく、両端子を損傷させることを防止できる。
なお、以上のように前記端子保持部５がシャーシａの上面に当接した状態では、前記端子保持部５は、前記圧縮バネ６による付勢力によって充分な圧力で、前記シャーシａの上面に押しつけられた状態となっているので、前記シャーシａがぐらつくことが防止され、安定した検査が行える。
【００２０】
前記操作レバー31をさらに操作して、前記傾斜プレート23を、図２の（Ｂ）に破線で示した23ｂの位置から23ｃの位置まで下降させると、前記傾斜プレート23と前記端子保持部５との間に配設された圧縮バネ６を圧縮させる。このとき、前記傾斜ガイド孔24は、前記傾斜シャフト４に沿ってスライドしながら下降する。このようなスライド下降によって、前記傾斜シャフト４は、図２の（Ｂ）に破線で示した４ｂの位置から４ｃの位置まで、図上右方向に引き寄せられ、前記傾斜シャフト４の下端に固定された端子保持部５を、図２の（Ｂ）に破線で示した５ｂの位置から５ｃの位置まで、前記シャーシａの上面に沿って図上右方向に距離ｋだけ移動させる。
【００２１】
このように、前記傾斜プレート23を下降させて前記端子保持部５を前記シャーシａの上面に沿って図上右方向に距離ｋだけ移動させると、前記端子保持部５の右側面に露出させて配設された検査用接続端子51は、前記シャーシａの機器側接続端子ｃに当接する。この状態を、リミットスイッチもしくは両端子間の電気抵抗の変化によって検知して、ブザーもしくはランプ等で、接続完了を操作者に報知し、操作者は前記操作レバー31の引き下ろし操作を停止する。
【００２２】
このように、両端子を当接させる動作は、水平方向に移動することによって行われるので、両端子間に無理なストレスがかからず、両端子を損傷させることが防止できる。
以上のようにして、両端子間が電気的に接続され、前記電源装置から前記機器側接続端子ｃに所定の電力が供給されている状態で、前記シャーシａの回路の電気的な検査を行う。
なお、以上のような両端子の接続状態において、前記検査用接続端子51と前記機器側接続端子ｃとは、前記圧縮バネ６に起因する付勢力によって充分な圧力で押しつけられた状態となっているので、多少の位置的な誤差があっても、前記検査用接続端子51と前記機器側接続端子ｃとは確実に接続状態が保たれ、安定した検査が行える。
【００２３】
所定の検査が終了すると、操作者は、前記操作レバー31を引き上げ操作する。
これによって、移動プレート２は上昇しはじめて、前記水平プレート22と、前記傾斜プレート23と、前記傾斜シャフト４とが共に上昇する。
このとき、はじめのうちは、前記圧縮バネ６が伸びるので、前記端子保持部５は前記シャーシａの上面に当接した状態で、前記傾斜プレート23と前記端子保持部５との距離が広がり、前記傾斜ガイド孔24は前記傾斜シャフト４に沿ってスライドしながら上昇する。このようなスライド上昇によって、前記傾斜シャフト４は、図２の（Ｂ）に示した４ｃの位置から破線で示した４ｂの位置まで、図上左方向に押し戻され、前記傾斜シャフト４の下端に固定された端子保持部５を、前記シャーシの上面に沿って、図２の（Ｂ）に示した５ｃの位置から、破線で示した５ｂの位置まで、図上左方向に移動させて、前記検査用接続端子51を前記機器側接続端子ｃから離間させる。
このように、両端子を離間させる動作も、水平方向に移動することによって行われるので、両端子間に無理なストレスがかからず、両端子を損傷させることが防止できる。
【００２４】
前記操作レバー31をさらに操作して、前記移動プレート２、前記水平プレート22と、前記傾斜プレート23と、前記傾斜シャフト４をさらに上昇させると、前記圧縮バネ６が初期の長さまで伸びた後は、前記端子保持部５も共に上昇して、前記シャーシａの上面から離間する。
このように、端子保持部５が上昇するとき、前記検査用接続端子51と、前記機器側接続端子ｃとの水平方向の距離ｊは充分な距離になっているので、前記検査用接続端子51が、前記機器側接続端子ｃの表面を擦りながら上昇することがなく、両端子を損傷させることが防止できる。
以上のようにして、前記シャーシａの検査が終了し、続いて、次の検査対象のシャーシをセットして、上記同様の検査を行うことができる。
【００２５】
以上のように、上記構成の検査用接続端子の接続装置によれば、操作レバー31を引き下ろす操作をするだけで、端子保持部５は一旦垂直に下降し、シャーシａに当接した後は、水平方向に移動して、機器側接続端子ｃと当接するので、複雑な機構を用いることなく、またストレスなく、前記検査用接続端子51と前記機器側接続端子ｃとを接触させることができる。
また、検査終了後は、操作レバー31を引き上げる操作をするだけで、端子保持部５は一旦水平方向に移動して、機器側接続端子ｃと離間し、その後、上昇するので、複雑な機構を用いることなく、またストレスなく、前記検査用接続端子51と前記機器側接続端子ｃとを離間させることができる。
以上の動作により、前記検査用接続端子51もしくは前記機器側接続端子ｃの何れをも損傷させることなく、検査を行うことができる。
【００２６】
上記構成の検査用接続端子の接続装置によれば、図３に示したように、機器側接続端子ｄが、シャーシｅの反り返し部分ｆに隠れるような形状であっても、前記反り返し部分ｆを避けて、端子保持部を移動させて、前記機器側接続端子ｄに接触させることが可能となる。
なお、前記機器側接続端子としては、電源端子に限らず、種々の信号端子の場合にも、対応する検査用接続端子を端子保持部５に取り付けることによって、対応できる。
また、図１、２の説明では、操作レバー31を手動操作する構成例で説明したが、モータ等を用いて自動的に操作するように構成することも容易である。
また、上記実施例では、加工の都合上、前記移動プレート２に、前記水平プレート22と、前記傾斜プレート23とを固定した構成で説明したが、前記移動プレート２と一体の水平プレート部分に傾斜ガイド孔を設けて、この傾斜ガイド孔に傾斜シャフトを挿通する構成としてもよいことは当然である。
また、前記端子保持部５の自重が充分であって、前記圧縮バネ６がなくても、重力によって、前記傾斜プレート23から離間するように作用する場合には、前記圧縮バネ６を省略することもできる。
【産業上の利用可能性】
【００２７】
本発明にかかる検査用接続端子の接続装置によれば、垂直方向の移動と、水平方向の移動とを、簡単な構造で実現することができるので、シャーシの検査のための接続装置に限らず、種々の機構に採用することができる。
【符号の説明】
【００２８】
１  検査用接続端子の接続装置
１１  基台
１２  シャーシ設置部
１３  シャーシ保持部材
１４  垂直シャフト
２  移動プレート
２１  シャフト孔
２２  水平プレート
２３  傾斜プレート
２４  傾斜ガイド孔
３  昇降機構
３１  操作レバー
４  傾斜シャフト
５  端子保持部
５１  検査用接続端子
６  付勢手段、圧縮バネ
ａ  シャーシ、検査対象物
ｂ  電子機器
ｃ  電源端子、機器側接続端子、検査対象物側接続端子
【図１】
0005413334.tif 000002
【図２】
0005413334.tif 000003
【図３】
0005413334.tif 000004
【図４】
0005413334.tif 000005
【図５】
0005413334.tif 000006